(57)【要約】【課題】洗濯物攪拌時に、水が水受け槽の外部に飛び出すことを防止すること。【解決手段】洗剤投入用カバー４６は、上端部左右に流体バランサー１１の内周側であるバランサー内周面部５６に被さって配置され、バランサー内周面部５６よりも所定寸法だけ中心側に飛び出し、天面側が略平面形状をした耳部５８と、耳部５８と連続して下方に略平面形状の天面部５１を形成し、さらに、天面部５１からは、洗剤投入用カバー４６と循環水路カバー４３の境界である境界部５５に向かって傾斜面である側面傾斜部５２を両側面に形成し、かつ、天面部５１の下側には、天面部５１と側面傾斜部５２に囲まれて天面傾斜部５３が形成され、天面傾斜部５３から境界部５５に向かって接続面傾斜部５４が形成された構成としたことにより、水が水受け槽の外部に飛び出すことを防ぐことができる。【選択図】図２
2018011781.tif 000002
【特許請求の範囲】
【請求項１】
筐体内部に、サスペンションを介して防振支持される水受け槽と、前記水受け槽に回転自在に内包される洗濯兼脱水槽と、前記洗濯兼脱水槽の中央底部に回転自在に配設されるパルセータと、前記洗濯兼脱水槽の上部に配設される流体バランサーと、前記パルセータおよび前記洗濯兼脱水槽を回転駆動するモータと、前記洗濯兼脱水槽の内壁に設けられた循環水路カバーと、前記循環水路カバーにより形成される循環水路と、前記循環水路カバーに開閉自在に設けられた洗剤投入用カバーとを備え、前記洗剤投入用カバーは、上端部が前記流体バランサー内周面に被さって前記バランサー内周面部よりも中心側に所定寸法飛び出して配置した洗濯機。
【請求項２】
洗剤投入用カバーは、前記洗剤投入用カバーを操作する操作部の両側に耳部を形成し、前記耳部と連続して下方に略平面形状の天面部を形成した請求項１記載の洗濯機。
【請求項３】
洗剤投入用カバーは、前記天面部から、前記洗剤投入用カバーと前記循環水路カバーの境界である境界部に向かって傾斜面である側面傾斜部を両側面に形成し、かつ、前記天面部の下側には、前記天面部と前記側面傾斜部に囲まれて天面傾斜部が形成され、前記天面傾斜部から前記境界部に向かって接続面傾斜部が形成された請求項２記載の洗濯機。
【発明の詳細な説明】
【技術分野】
【０００１】
本発明は、洗い、すすぎ、脱水行程を行なう洗濯機に関するものである。
【背景技術】
【０００２】
従来、この種の洗濯機は、洗浄性能向上のために、洗濯兼脱水槽内壁に洗剤投入用カバーを開閉自在に設け、洗剤投入用カバーから洗剤を投入して、洗剤を早く溶解させる構成が提案されている（例えば、特許文献１参照）。
【０００３】
図６は、特許文献１に記載された従来の洗濯機の縦断面図、図７は、同洗濯機の洗濯兼脱水槽の縦断面図である。
【０００４】
図６、図７において、筐体９内には、サスペンション１０により水受け槽３が防振支持されている。水受け槽３は、洗濯兼脱水槽１を回転自在に内包しており、洗濯兼脱水槽１には、内底部にパルセータ２を回転自在に配置している。そして、洗濯兼脱水槽１の上部には、脱水時の振動低減用に環状の流体バランサー１１が設けられている。
【０００５】
モータ４は、ベルト５、減速機構兼クラッチ６を介して動力を伝え、洗濯兼脱水槽１及びパルセータ２を回転駆動する。
【０００６】
排水弁７は、洗濯兼脱水槽１内の洗濯水を外部へ排水するためのものであり、給水弁８は、洗濯兼脱水槽１内に給水するためものである。
【０００７】
また、洗濯兼脱水槽１の内側には、循環水路カバー１３と洗濯兼脱水槽１とにより、パルセータ２下部のポンプ室１８と連通する循環水路１４が形成されており、循環水路カバー１３には、洗剤投入用カバー１６が開閉自在に設けられている。洗剤投入用カバー１６は、洗剤投入用カバー１６を閉じた第１の状態と、洗剤投入用カバー１６を開いた第２の状態を有しており、図６では、第１の状態を示している。
【０００８】
上記の構成をもつ洗濯機を利用する際には、使用者は、初めに洗濯物を洗濯兼脱水槽１内部に投入する。次に、洗剤投入用カバー１６を開き、洗剤投入用カバー１６の内部に洗剤を投入する。以降は、洗濯機のプログラムにより、自動的に洗濯が実施される。
【０００９】
洗剤投入用カバー１６から投入された洗剤は、洗濯兼脱水槽１と循環水路カバー１３の間を通り、ポンプ室１８に運ばれる。
【００１０】
洗濯が開始されると、制御装置１２により、給水弁８から洗濯兼脱水槽１に対して、給水が行われ、その後、制御装置１２に従い、モータ４が駆動し、パルセータ４が回転することで、ポンプ室１８の間に落ちた洗剤が溶解される。
【００１１】
給水が進むと、ポンプ室１８内で溶解した洗剤液は、パルセータ２の駆動による下側羽根１７の回転から機械力を受け、ポンプ室１８から循環リント水路１４へと押し出され、図示しない吐出口から、洗濯兼脱水槽１内へ循環される。そして、上記の行程により、洗剤兼脱水槽１の中の洗濯物と洗濯液が攪拌され、洗濯物の洗浄が行われる。
【先行技術文献】
【特許文献】
【００１２】
【特許文献１】特開２０１３−２４０４０８号公報
【発明の概要】
【発明が解決しようとする課題】
【００１３】
しかしながら、前記従来の構成では、洗い、あるいは、すすぎ時に洗濯兼脱水槽１内の洗濯物の動きが抑制されることを防止するために、洗剤投入用カバー１６の上部は、流体バランサー１１内側壁面との段差を少なくし、それより下部はなだらかに洗濯兼脱水槽１の半径方向に極力飛び出さないようにしてあるが、これにより、流体バランサー１１内側壁面に沿って流れる水が、流体バランサー１１を飛び越えて、水受け槽３の外部に飛び出すことがあるという課題があった。
【００１４】
本発明は、上記従来の課題を解決するものであり、洗剤投入用カバーの形状により、流体バランサー内側壁面に沿って流れる水が、水受け槽の外部に飛び出すことを抑制する洗濯機を提供することを目的としている。
【課題を解決するための手段】
【００１５】
前記課題を解決するために、本発明の洗濯機は、筐体内部に、サスペンションを介して防振支持される水受け槽と、前記水受け槽に回転自在に内包される洗濯兼脱水槽と、前記洗濯兼脱水槽の中央底部に回転自在に配設されるパルセータと、前記洗濯兼脱水槽の上部に配設される流体バランサーと、前記パルセータおよび前記洗濯兼脱水槽を回転駆動するモータと、前記洗濯兼脱水槽の内壁に設けられた循環水路カバーと、前記循環水路カバーにより形成される循環水路と、前記循環水路カバーに開閉自在に設けられた洗剤投入用カバーとを備え、前記洗剤投入用カバーは、上端部が前記流体バランサー内周面に被さって前記バランサー内周面部よりも所定寸法中心側に飛び出して配置したものである。
【００１６】
これにより、パルセータが回転して攪拌動作している時に、洗濯物はスムーズに攪拌され、また、水が洗濯兼脱水槽上部から水受け槽の外部に飛び出すことを防ぐことができる。
【００１７】
さらに、洗剤投入用カバーを開けて投入された洗剤は、ただちに循環水路下部へと運ばれるので、パルセータの回転で溶解が早く進み、洗浄性能向上が図れる。
【発明の効果】
【００１８】
本発明の洗濯機は、洗剤投入用カバーの形状により、投入された洗剤がただちに溶解されて洗浄性能向上が図れるとともに、洗濯物はスムーズに攪拌され、洗濯兼脱水槽上部から水受け槽の外部に飛び出すことを防ぐことができる。
【図面の簡単な説明】
【００１９】
【図１】本発明の実施の形態における洗濯機の縦断面図
【図２】同洗濯機の洗濯兼脱水槽の縦断面図
【図３】同洗濯機の洗剤投入用カバーの開閉動作を示す縦断面図
【図４】同洗濯機の洗剤投入用カバーが外れた状態の要部分解斜視図
【図５】同洗濯機のパルセータ回転時の水の流れを示した要部斜視図
【図６】従来の洗濯機の縦断面図
【図７】同洗濯機の洗濯兼脱水槽の縦断面図
【発明を実施するための形態】
【００２０】
第１の発明は、筐体内部に、サスペンションを介して防振支持される水受け槽と、前記水受け槽に回転自在に内包される洗濯兼脱水槽と、前記洗濯兼脱水槽の中央底部に回転自在に配設されるパルセータと、前記洗濯兼脱水槽の上部に配設される流体バランサーと、前記パルセータおよび前記洗濯兼脱水槽を回転駆動するモータと、前記洗濯兼脱水槽の内
壁に設けられた循環水路カバーと、前記循環水路カバーにより形成される循環水路と、前記循環水路カバーに開閉自在に設けられた洗剤投入用カバーとを備え、前記洗剤投入用カバーは、上端部が前記流体バランサー内周面に被さって前記バランサー内周面部よりも所定寸法中心側に飛び出して配置したものである。
【００２１】
これにより、洗剤投入用カバー内側壁面と流体バランサー内側壁面に流体バランサー直径方向の距離を持つため、流体バランサー内側壁面に沿って流れる水が水受け槽の外部に飛び出すことを防ぐことができる。さらに、洗剤投入用カバーを開けて投入された洗剤は、ただちに循環水路下部へと運ばれるので、パルセータの回転で溶解が早く進み、洗浄性能向上が図れる。
【００２２】
第２の発明は、第１の発明の洗剤投入用カバーは、前記洗剤投入用カバーを操作する操作部の両側に耳部を形成し、前記耳部と連続して下方に略平面形状の天面部を形成したものである。
【００２３】
これにより、パルセータが回転して攪拌動作している時に、洗濯物はスムーズに攪拌され、また、水が洗濯兼脱水槽上部から水受け槽の外部に飛び出すことを防ぐことができる。
【００２４】
第３の発明は、第３の発明の洗剤投入用カバーは、前記天面部から、前記洗剤投入用カバーと前記循環水路カバーの境界である境界部に向かって傾斜面である側面傾斜部を両側面に形成し、かつ、前記天面部の下側には、前記天面部と前記側面傾斜部に囲まれて天面傾斜部が形成され、前記天面傾斜部から前記境界部に向かって接続面傾斜部が形成されたものである。
【００２５】
これにより、パルセータが回転して攪拌動作している時に、洗濯物はスムーズに攪拌され、また、水が洗濯兼脱水槽上部から水受け槽の外部に飛び出すことを防ぐことができる。
【００２６】
以下、本発明の実施の形態について、図面を参照しながら説明する。なお、従来例と同じ構成のものは同一符号を付して説明を省略する。また、この実施の形態によって本発明が限定されるものではない。
【００２７】
（実施の形態１）
図１は、本発明の実施の形態における洗濯機の縦断面図、図２は、同洗濯機の洗濯兼脱水槽の縦断面図、図３は、同洗濯機の洗剤投入用カバーの開閉動作を示す縦断面図、図４は、同洗濯機の洗剤投入用カバーが外れた状態の要部分解斜視図、図５は、同洗濯機のパルセータ回転時の水の流れを示した要部斜視図である。なお、図１と図３は、洗剤投入用カバーが閉じた状態と開いた状態の両方を示している。
【００２８】
本実施の形態において、上記背景技術と同一構成部品については、同一符号を附して説明を省略する。
【００２９】
図１において、洗濯兼脱水槽３１の内周側には、循環水路カバー４３と洗濯兼脱水槽３１とにより、循環水路４４が形成されており、循環水路カバー４３には、開けた状態で洗剤を受けることができる洗剤投入用カバー４６が開閉自在に設けられている。
【００３０】
洗い行程では、洗剤投入用カバー４６を開けて投入された洗剤が、循環水路４４からポンプ室１８へ行き、パルセータ２の回転で溶解される。そして、洗剤が溶解された洗濯液は、循環水路カバー４３に形成された吐出口５０（図２参照）から洗濯兼脱水槽３１内へ
吐出されて、循環される。
【００３１】
図２、図３、図４において、洗剤投入用カバー４６の上端部中央には、開ける時に指を掛ける凹部状の把手部５７が形成されており、把手部５７の左右に耳部５８を形成している。耳部５８は、流体バランサー１１の内周側であるバランサー内周面部５６に被さって配置されている。つまり、耳部５８は、バランサー内周面部５６よりも所定寸法だけ中心側に飛び出ており、天面側が略平面形状をしている。そして、耳部５８より連続して下方に略平面形状の天面部５１が形成されている。
【００３２】
天面部５１からは、洗剤投入用カバー４６と循環水路カバー４３の境界である境界部５５に向かって傾斜面である側面傾斜部５２が洗剤投入用カバー４６の両側面に形成されている。また、天面部５１の下側には、天面部５１と両側面の側面傾斜部５２に囲まれて天面傾斜部５３が形成され、天面傾斜部５３から境界部５５に向かっては接続面傾斜部５４が形成されて、循環水路カバー４３の面と接続している。
【００３３】
また、洗剤投入用カバー４６には、軸１９が、循環水路カバー４３には、軸受け部２０が設けられており、開閉時には、洗剤投入用カバー４６は、軸１９を中心に回転する。
【００３４】
以上のように構成した洗濯機について、以下、その動作、作用を説明する。
【００３５】
使用者は、洗濯兼脱水槽３１内部に、洗濯物を投入したあと、洗剤投入用カバー４６を開き、洗剤を投入する。
【００３６】
ここで、使用者が洗剤投入用カバー４６の内側に洗剤を投入する際には、洗剤投入用カバー４６の中央部ではなく、端部に洗剤が投入された場合でも、両側面部には、側面傾斜部５２が形成されているので、洗剤は中央側へスムーズに移動し、洗剤投入用カバー４６を閉めると、循環水路４４の下部へと運ばれる。これにより、給水後、パルセータ２が回転すると、ただちに洗剤は溶解される。
【００３７】
洗剤を投入した以降は、洗濯機の自動プログラムにより、自動的に洗濯が実施される。
【００３８】
図５において、洗い行程では、パルセータ２回転により水が中心から外側へ押し出される。押し出された水は、洗濯兼脱水槽３１に当たり、矢印３０ａのように、洗濯兼脱水槽３１に沿って上昇する。さらに、矢印３０ｂのように、循環水路カバー４３の側面に沿って流体バランサー１１のバランサー内周面部５６へと乗り上げる。そして、バランサー内周面部５６へ乗り上げた水は、洗剤投入用カバー４６の耳部５８が流体バランサー１１のバランサー内周面部５６に被さっているために、洗剤投入用カバー４６の側面傾斜部５２に沿って、矢印３０ｃのように持ち上がり、洗濯兼脱水槽３１の中心側へ運ばれる。この水の動きにより、水が洗濯兼脱水槽３１上部から水受け槽の外に飛び出すことはない。
【００３９】
また、洗剤投入用カバー４６の側面傾斜部５２は、洗剤投入用カバー４６と循環水路カバー４３の境界である境界部５５から天面部５１に向かって形成されているために、パルセータ２による攪拌時に、洗濯物の動きを抑制することを防ぎ、スムーズ回転させることができる。
【００４０】
以上のように、本実施の形態においては、洗剤投入用カバー４６は、上端部左右に流体バランサー１１の内周側であるバランサー内周面部５６に被さって配置され、バランサー内周面部５６よりも所定寸法だけ中心側に飛び出し、天面側が略平面形状をした耳部５８と、耳部５８と連続して下方に略平面形状の天面部５１を形成し、さらに、天面部５１からは、洗剤投入用カバー４６と循環水路カバー４３の境界である境界部５５に向かって傾
斜面である側面傾斜部５２を両側面に形成し、かつ、天面部５１の下側には、天面部５１と側面傾斜部５２に囲まれて天面傾斜部５３が形成され、天面傾斜部５３から境界部５５に向かって接続面傾斜部５４が形成された構成としたことにより、パルセータ２が回転して攪拌動作している時に、洗濯物はスムーズに攪拌され、また、水が洗濯兼脱水槽３１上部から水受け槽３の外部に飛び出すことを防ぐことができる。
【００４１】
さらに、洗剤投入用カバー４６を開けて投入された洗剤は、ただちに循環水路４４下部へと運ばれるので、パルセータ２の回転で溶解が早く進み、洗浄性能向上が図れる。
【産業上の利用可能性】
【００４２】
以上のように、本発明にかかる洗濯機は、投入された洗剤がただちに溶解されて洗浄性能向上が図れるとともに、洗濯物はスムーズに攪拌され、洗濯兼脱水槽上部から水受け槽の外部に飛び出すことを防ぐことが可能となるので、洗剤投入用カバーを有する他の洗濯機の用途に適用できる。
【符号の説明】
【００４３】
２  パルセータ
３  水受け槽
４  モータ
９  筐体
１０  サスペンション
１１  流体バランサー
３１  洗濯兼脱水槽
４３  循環水路カバー
４４  循環水路
４６  洗剤投入用カバー
５１  天面部
５２  側面傾斜部
５３  天面傾斜部
５４  接続面傾斜部
５５  境界部
５６  バランサー内周面部
５８  耳部
【図１】
2018011781.tif 000003
【図２】
2018011781.tif 000004
【図３】
2018011781.tif 000005
【図４】
2018011781.tif 000006
【図５】
2018011781.tif 000007
【図６】
2018011781.tif 000008
【図７】
2018011781.tif 000009